(57)【要約】【課題】書類用ポケットの耐久性や生産性を向上させる。【解決手段】書類用ポケットは、樹脂製の書類収納袋１０と、書類収納袋１０内に収納されている樹脂製のシート２０とを備えている。書類収納袋１０は書類収納口５０が形成されており、書類収納口５０に対向する位置には、書類収納袋１０の袋底部と樹脂製の２０のシート底部とが溶着されることによって形成された溶着部４０が位置する。また書類用ポケットの側面にはバインダ用の貫通穴３０が形成されている。【選択図】        図１
2004338143.tif 000002
【特許請求の範囲】
【請求項１】
樹脂製の収納袋と、前記収納袋内に収納されている樹脂製のシートとを備えており、前記収納袋の袋底部と前記シートのシート底部とは溶着によって一体化されていることを特徴とする書類用ポケット。
【請求項２】
樹脂製の収納袋と、前記収納袋内に収納されている樹脂製のシートとが帯電防止性能を有することを特徴とする請求項１記載の書類用ポケット。
【請求項３】
樹脂製の収納袋と、前記収納袋内に収納されている樹脂製のシートとが透明性を有することを特徴とする請求項１または２記載の書類用ポケット。
【請求項４】
ポケット本体の側部には、加熱しながら形成されたバインダ用の貫通穴が設けられていることを特徴とする請求項１乃至３いずれかに記載の書類用ポケット。
【請求項５】
筒状樹脂内にシートが挿入され、筒状樹脂をシートとともに溶着させながら切断するカッターを備えた書類用ポケットの製造装置。
【請求項６】
前記カッターは、その内部にヒータを内蔵することを特徴とする請求項５記載の書類用ポケットの製造装置。
【請求項７】
前記カッターは、基台に刻設される溶着凹部に立設されて、ヒータは基台に対応するプレス部材に突設される溶着突部に内蔵されて、前記溶着突部がシートを溶着するとともに、前記カッターがシートを切断することを特徴とする請求項５記載の書類用ポケットの製造装置。
【請求項８】
前記溶着凹部は、ばねで支持された複数の受台が配置されて前記受台の間に前記カッターが立設されることを特徴とする請求項７記載の書類用ポケットの製造装置。
【請求項９】
筒状樹脂内にシートが挿入され筒状樹脂をシートとともに切断する第１カッターと、前記第１カッターから所定距離に位置しており前記筒状樹脂と前記シートとを溶着しながら切断する第２カッターとを備え、前記第１カッター及び前記第２カッターを同時に作動させることを特徴とする請求項５又は８記載の書類用ポケットの製造装置。
【請求項１０】
ポケット本体の側部にバインダ用の貫通穴を加熱しながら形成する貫通穴形成部を備えた請求項５または９記載の書類用ポケットの製造装置。
【請求項１１】
筒状樹脂内にシートが挿入され筒状樹脂をシートとともに切断するときに、当該切断位置から所定距離だけ前記筒状樹脂と前記シートとを溶着しながら切断することを特徴とする書類用ポケットの製造方法。
【請求項１２】
前記筒状樹脂及び前記シートの切断時に、ポケット本体の側部にバインダ用の貫通穴を加熱しながら形成することを特徴とする請求項１１記載の書類用ポケットの製造方法。
【発明の詳細な説明】
【０００１】
【発明の属する技術分野】
本発明は、書類用ポケット、その製造装置及び製造方法に関し、特に、書類、ファイル等を収納し、バインダに綴じられる透明性を有する帯電防止ポケット、その製造装置及び製造方法に関する。
【０００２】
【従来の技術】
従来、書類用ポケットは透明性を有するポケットまたは、その内部が空または、中紙が挿入された構成のものが存在していた。
【０００３】
また、透明性を有する帯電防止性書類用ポケットは、書類の保管などのために、バインダ等に複数枚綴じられているものが多い。帯電防止性書類用ポケットは、書類の保管の際に収納してある書類が傷まないように、また書類の出し入れを容易に行えるように硬性が必要とされていた。
【０００４】
ここで、従来の帯電防止性書類用ポケットとして、帯電防止を行い且つ帯電以外の原因でも塵や埃の付着の起こし難くするために、一辺又は隣接する二辺が開口する一方向又は二方向開きの透明ケースの表面及び内面にπ電子共役系導電性ポリマー層が設けられており、１０４〜１０７Ω／□の表面抵抗率を有するようにしたものがある（特許文献１）。
【０００５】
また、帯電防止を行い且つ帯電以外の原因でも塵や埃の付着の起こし難くするために、合成樹脂シートの表裏両面がπ電子共役系導電性ポリマー層で被覆され、１０４〜１０７Ω／□の表面抵抗率を有するシート材を２つ折りの折曲部の辺に隣接する一辺乃至任意の二辺を溶着して接合してなる溶着部が散点状であり、該溶着部における薄肉部分の全体厚みがシート材１枚の厚み以下となるように潰したものがある（特許文献２）。
【０００６】
【特許文献１】
特開平１０−３２９４６８号公報
【特許文献２】
特許第３１７２６９１号公報
【０００７】
【発明が解決しようとする課題】
しかし、従来の技術は、一度透明性を有するポケットを作成した後に人間が中紙を挿入する等、複数の工程に跨るため製造時間や製造コストが上昇する課題を有している。
【０００８】
また、帯電防止を行い且つ帯電以外の原因でも塵や埃の付着の起こし難くするという課題は解決しているものの、帯電防止性書類用ポケットの耐久性や生産性を向上させるための工夫がされておらず、これらの改善が求められていた。
【０００９】
具体的には、使用時に応力がかかりやすい帯電防止性書類用ポケットの底部の強度やバインダー用の貫通穴の強度の向上、安価に帯電防止性書類用ポケットを製造するための量産性の向上が求められている。
【００１０】
そこで、本発明は、書類用ポケットの耐久性や生産性を向上させ、さらに帯電性素材を使用して埃の吸着を防止することを目的とする。
【００１１】
【課題を解決するための手段】
上記課題を解決するための手段である本発明の書類用ポケットは、樹脂製の収納袋と、前記収納袋内に収納されている樹脂製のシートとを備えており、前記収納袋の袋底部と前記シートのシート底部とは溶着によって一体化されている。
【００１２】
このように構成することによって確実に２箇所の袋部を備えて強固に封止された底部を備えることで内部に挿入した書類等の脱落を防止できる。
【００１３】
樹脂製の収納袋と、前記収納袋内に収納されている樹脂製のシートとが帯電防止性能を有するようにしている。
【００１４】
このように、使用時に応力がかかりやすい帯電防止ポケットの底部を、溶着によって収納袋と帯電防止シートとを一体化すること、及び溶着の際に加熱することで強度を備えるようにしている。なお、帯電防止シートを挿入しているため収納口を含む帯電防止ポケット全体に硬性が備えられる。
【００１５】
樹脂製の収納袋と、前記収納袋内に収納されている樹脂製のシートとが透明性を有するようにしている。
【００１６】
このように透明性を有することで、ポケット内部の書類が外側より容易に視認できるため、閲覧や整理をたやすく行なうことができる。
【００１７】
ポケット本体の側部には、加熱しながら形成されたバインダ用の貫通穴が設けられていることによって、貫通穴を設ける際に、帯電防止シートの引き連れを抑制するとともに、貫通穴に加熱による強度を備えるようにしている。
【００１８】
さらに、本発明の書類用ポケットの製造装置は、筒状樹脂内にシートが挿入され、筒状樹脂をシートとともに溶着させながら切断するカッターを備えるようにしている。
【００１９】
このように構成することで、溶着工程と切断工程が一度に処理できるため時間やコストの節約が可能となる。
【００２０】
前記カッターは、その内部にヒータを内蔵することを特徴とする。
【００２１】
前記カッターは、基台に刻設される溶着凹部に立設されて、ヒータは基台に対応するプレス部材に突設される溶着突部に内蔵されて、前記溶着突部がシートを溶着するとともに、前記カッターがシートを切断することを特徴とする。
【００２２】
前記溶着凹部は、ばねで支持された複数の受台が配置されて前記受台の間に前記カッターが立設されることを特徴とする。
【００２３】
筒状樹脂内にシートが挿入され筒状樹脂をシートとともに切断する第１カッターと、前記第１カッターから所定距離に位置しており前記筒状樹脂と前記シートとを溶着しながら切断する第２カッターとを備え、前記第１カッター及び前記第２カッターを同時に作動させるようにしている。
【００２４】
こうして、書類用ポケットの製造工程の一部の実行時間を重複させることによって、書類用ポケットの生産性を向上させるようにしている。
【００２５】
更に、ポケット本体の側部にバインダ用の貫通穴を加熱しながら形成する貫通穴形成部を備えるようにして、更に時間的に重複する製造工程を増やして、より帯電防止ポケットの生産性を向上させるようにしている。
【００２６】
また、本発明の帯電防止ポケットの製造方法は、筒状樹脂内にシートが挿入され筒状樹脂をシートとともに切断するときに、当該切断位置から所定距離だけ前記筒状樹脂と前記シートとを溶着しながら切断することを特徴とする。
【００２７】
こうして、帯電防止ポケットの製造工程の一部の実行時間を重複させることによって、帯電防止ポケットの生産性を向上させるようにしている。
【００２８】
前記筒状樹脂及び前記シートの切断時に、ポケット本体の側部にバインダ用の貫通穴を加熱しながら形成することにしている。
【００２９】
こうして、帯電防止ポケットの製造工程の一部の実行時間を重複させることによって、帯電防止ポケットの生産性を向上させるようにしている。
【００３０】
【発明の実施の形態】
【００３１】
以下、本発明の実施形態について図面を参照して説明する。
【００３２】
（第１実施例）
図１は、本発明の実施形態の帯電防止ポケットであるところの帯電防止性書類用ポケットの斜視図である。
【００３３】
図２は、図１のＡ−Ａ’の断面図である。
【００３４】
図３は、図１のＢ−Ｂ’の断面図である。
【００３５】
図１〜図３に示すように、本実施形態の帯電防止性書類用ポケットは、透明性を有する帯電防止部材からなる収納袋であるところの書類収納袋１０と、帯電防止性書類用ポケット全体に硬性を備えるために書類収納袋１０内に収納されている帯電防止シート２０とを備えている。
【００３６】
帯電防止性書類用ポケットの上部には書類やファイル等を収納する書類収納口５０が形成されており、帯電防止性書類用ポケットの底部には書類収納袋１０の袋底部と帯電防止シート２０のシート底部とを溶着によって一体化した溶着部４０が形成されている。
【００３７】
ここで、書類収納袋１０及び帯電防止シート２０は、素材がポリプロピレンやポリエチレンのような樹脂であって、透明性を有しており、且つ、帯電性を有するものとしている。なお、書類収納袋１０等の表面抵抗率は、例えば１０３〜１０１２Ω／□となる素材を選択すればよいが、好ましくは１０６〜１０１２Ω／□となる素材から選択すればよく、より好ましくは１０８〜１０１２Ω／□となる素材から選択すればよい。
【００３８】
書類収納袋１０の厚さは例えば５０μｍ〜１００μｍの範囲で選択可能としており、帯電防止シート２０の厚さは例えば７０μｍ〜３００μｍの範囲で選択可能とし、好ましくは、１００μｍ〜２００μｍの範囲としている。換言すると、書類収納袋１０の厚さと帯電防止シート２０の厚さとが例えば、１：１．５の比率となるようにしている。このような範囲の厚さとすると、帯電防止性書類用ポケットに透明性を備えるとともに硬性を備えることが可能となる。
【００３９】
また、帯電防止性書類用ポケットの側面には、加熱しながら形成されたバインダ用の貫通穴３０を形成している。ここで、加熱をしているのは、書類収納袋１０の側部に貫通穴３０を設ける際に、帯電防止シート２０の引き連れを抑制するとともに、貫通穴３０に強度を備えるためである。
【００４０】
つぎに、図１等に示す帯電防止性書類用ポケットを製造する手法について説明する。
【００４１】
図４は、図１の帯電防止性書類用ポケットの製造装置の側面図である。
【００４２】
図５は、図４に示す帯電防止性書類用ポケットの製造装置によって処理される筒状樹脂３１０及び帯電防止シート判３２０を示す斜視図である。
【００４３】
なお、筒状樹脂３１０は図５（ｂ）に示す波線の位置で切断されることで、図１に示す書類収納袋１０となる。図５に示す帯電防止シート判３２０は、図５（ｂ）に示す一点鎖線の位置で切断されることで、図１に示す帯電防止シート２０となる。
【００４４】
帯電防止性書類用ポケットを製造するときには、まず、図５（ａ），図５（ｂ）に示すように、筒状樹脂３１０内に帯電防止シート判３２０を挿入するという挿入工程を行う。
【００４５】
つづいて、筒状樹脂３１０及び帯電防止シート判３２０を、図４に示す製造装置の基台１００にセットするというセット工程を行う。
【００４６】
ここで、図４に示すように、製造装置は、筒状樹脂３１０及び帯電防止シート判３２０が載置される基台１００と、基台１００に対向する位置に設けられており垂直方向に搬送可能なプレス部材１５０とを有する。
【００４７】
プレス部材１５０は、筒状樹脂３１０及び帯電防止シート判３２０を切断するカッター（第１カッター）１１０と、カッター１１０から所定距離だけ離れて位置しており筒状樹脂３１０と帯電防止シート判３２０との溶着及び切断を行う溶着カッター（第２カッター）１３０と、カッター１１０と帯電防止シート判３２０との間に位置しており貫通穴３０を加熱しながら形成する貫通穴形成部１２０と、貫通穴形成部１２０の底部側に位置しており貫通穴形成部１２０及び溶着カッター１３０を加熱するための電源１４０とを備える。
【００４８】
カッター１１０と溶着カッター１３０との間隔は、収納対象の書類の大きさに応じて設定すればよい。なお、カッター１１０と溶着カッター１３０との間隔は変更可能に構成してもよい。
【００４９】
溶着カッター１３０は、底部にカッター１３１が設けられており、内部にニクロム線等からなるヒーター１３２が設けられている。ヒーター１３２は、溶着カッター１３０本体を例えば１５０℃〜１６０℃に加熱するためのものである。
【００５０】
貫通穴形成部１２０は、内部にニクロム線等からなるヒーター１２１が設けられている。ヒーター１２１は、貫通穴形成部１２０本体を例えば１３０℃〜１４０℃に加熱するためのものである。
【００５１】
なお、筒状樹脂３１０と帯電防止シート判３２０との溶着は、加熱によるものに限定されず、例えば高周波、超音波によるものでもよい。
【００５２】
一方、基台１００は、カッター１１０に対向する位置に設けられたカッター受部１８０と、溶着カッター１３０に対向する位置に設けられた溶着カッター受部１７０とを有する。また、プレス時に貫通穴形成部１２０が挿入される貫通孔１６０が形成されている。
【００５３】
なお、図４に示す形態は一例であり、例えば電源１４０及びヒーター１３２，１２１はプレス部材１７０側に備えてもよい。
【００５４】
つぎに、図４に示す製造装置の基台１００にセットした筒状樹脂３１０及び帯電防止シート判３２０に対して、プレス部材１５０を基台１００側へ押下することによってプレスするというプレス工程を行う。
【００５５】
こうして、貫通穴３０、溶着部４０及び書類収納口５０を短時間で形成する。
【００５６】
つづいて、筒状樹脂３１０及び帯電防止シート判３２０を、カッター１１０と溶着カッター１３０との間隔分だけ移動させるという移動工程を行う。
【００５７】
その後は、プレス工程と移動工程とを、交互に所定回数行う。
【００５８】
こうして、筒状樹脂３１０及び帯電防止シート判３２０から、複数の帯電防止性書類用ポケットを製造する。
【００５９】
（第２実施例）
次に図６に、本発明に係る書類用ポケット用の製造装置の第２実施例について示す。第１実施例の図４と比較して異なる点について示す。第２実施例のプレス部材１５０は、溶着及び切断を行う溶着カッター１３０のみが突設される。この溶着カッター１３０は、その刃先は溶着カッター底部の熱源と反対側端部に突設される。
【００６０】
一方、基台１００には、溶着カッター１３０に対向する位置にカッター受部１７０が設けられる。さらにカッター受部１７０から、所定距離だけ離れて位置する凸部１９０が形成される。
【００６１】
（第３実施例）
次に図７に、本発明に係る書類用ポケット用の製造装置の第３実施例について示す。図４と比較して異なる点について示す。プレス部材１５０には、溶着カッター１３０に代わり溶着突部１３４がプレス部材１５０鉛直下方向に突設される。溶着突部１３４の底面には、基板台１００に設けられる基台カッタ１４２の刃先と接触するため溝部１３６が刻設される。
【００６２】
一方、基台１００には、溶着突部１３４に対応する位置に溶着用突部１３２の底面より大きい溶着用凹部１３８が刻設される。溶着用凹部１３８中央には、基台カッタ１４２が刃を鉛直上向きにして立設される。また、基台カッタ１４２の側部にはバネ１４４で支持される受台１４６が溶着用凹部１３８を埋めるように配置される。ここで、受台１４６の高さにバネ１４４を圧縮させた際の高さを加えた高さと基台カッタ１４２の高さでは、基台カッタ１４２の高さが高くなるように構成される。このように構成することで、受台１４６が鉛直上方向から押圧された際に、基台カッタ１４２の刃が受台１４６の上面よりも高い位置に突出することとなる。
【００６３】
以上のように構成されて、筒状樹脂３１０及び帯電防止シート判３２０が書類用ポケット用の製造装置内に配置されて、ヒータ１３０が加熱されたプレス部材１５０が鉛直下方向に降下して、貫通穴形成部１２０が前記シート３２０等に当接して穴を貫通させる。
【００６４】
次に、溶着突部１３４の底部が筒状樹脂３１０及び帯電防止シート判３２０に当接して筒状樹脂と帯電防止シートとを溶接する。
【００６５】
さらにプレス部材１５０を鉛直下方向に押圧することで両受台１４６がバネ１４４を圧縮させながら下降する。その後、両受台１４６の間から基台カッタ１４２の刃が出現して、帯電防止シート判３２０を切断する。
【００６６】
【発明の効果】
以上説明したように、本発明によると、使用時に応力がかかりやすい書類用ポケットの袋底部及び閉じ穴に強度を備えるようにしたり、書類用ポケットの製造工程の一部の実行時間を重複させるようにしているので、書類用ポケットの耐久性や生産性を向上させることができる。
【００６７】
また、帯電性素材を使用して埃の吸着・拡散を防止することができるようになった。
【図面の簡単な説明】
【図１】本発明の実施形態の帯電防止性書類用ポケットの斜視図である。
【図２】図１のＡ−Ａ’の断面図である。
【図３】図１のＢ−Ｂ’の断面図である。
【図４】図１の帯電防止性書類用ポケットの製造装置の側面図である。
【図５】図４に示す書類用ポケットの製造装置によって処理される筒状樹脂３１０及び帯電防止シート判３２０を示す斜視図である。
【図６】本発明の書類用ポケットの製造装置第２の実施例の側面図である。
【図７】本発明の書類用ポケットの製造装置第３の実施例の側面図である。
【符号の説明】
１０  書類収納袋
２０  帯電防止シート
３０  貫通穴
４０  溶着部
５０  書類収納口
１１０  カッター
１２０  貫通穴形成部
１３０  溶着カッター
１３１  カッター
１３２  ヒーター
１３４  溶着突部
１３６  溝部
１３８  溶着用凹部
１４０  電源
１４２  基台カッタ
１４４  バネ
１４６  受台
１５０  プレス部材
１６０  貫通孔
１７０  溶着カッター受部
１８０  カッター受部
３１０  筒状樹脂
３２０  帯電防止シート判
【図１】
2004338143.tif 000003
【図２】
2004338143.tif 000004
【図３】
2004338143.tif 000005
【図４】
2004338143.tif 000006
【図５】
2004338143.tif 000007
【図６】
2004338143.tif 000008
【図７】
2004338143.tif 000009